(57)【要約】【課題】この発明は、構成簡易にして、小型化の促進を図ったうえで、切開穴の底部に至る確実な照明を実現して、高精度な観察を実現し得るようにすることにある。【解決手段】対物光学系７の観察光軸Ｏ1で、その対物面１５側に照明手段１４を形成するＬＥＤ１６を配し、このＬＥＤ１６を発光させることにより、その発光した光を、照明光として直接的に観察光軸Ｏ1に導いて術部３を照明するように構成した。【選択図】      図２
2006218206.tif 000002
【特許請求の範囲】
【請求項１】
対象物体に対向される対物光学系と、
前記対物光学系で取り込んだ顕微鏡観察光軸上の光学像が導かれる左右一対の観察光学系と、
前記顕微鏡観察光軸に対応して前記対物光学系の対物面側に配され、自発的に発光して照明光を前記対象物体に照射する発光体を有する照明手段と、
を具備することを特徴とする手術用顕微鏡。
【請求項２】
前記照明手段の発光体は、前記顕微鏡観察光軸上に配置されたことを特徴とする請求項１記載の手術用顕微鏡。
【請求項３】
前記照明手段の発光体は、前記左右一対の観察光学系の観察光軸間に配されることを特徴とする請求項１記載の手術用顕微鏡。
【請求項４】
前記照明手段の発光体は、前記顕微鏡観察光軸上に及び、該顕微鏡観察光軸を中心に前記一対の観察光学系の観察光路を含む円上に複数個が配置されることを特徴とする請求項２又は３記載の手術用顕微鏡。
【請求項５】
前記照明手段の発光体は、前記顕微鏡観察光軸上に対して軸対称に配置されることを特徴とする請求項１記載の手術用顕微鏡。
【請求項６】
前記照明手段の発光体は、前記対物光学系及び左右一対の観察光学系の内装される顕微鏡本体に配されることを特徴とする請求項１乃至５のいずれか記載の手術用顕微鏡。
【請求項７】
前記照明手段の発光体は、前記対物光学系の対物面に取付け配置されることを特徴とする請求項１乃至５のいずれか記載の手術用顕微鏡。
【請求項８】
前記照明手段の発光体は、半導体発光素子であることを特徴とする請求項１乃至７のいずれか記載の手術用顕微鏡。
【発明の詳細な説明】
【技術分野】
【０００１】
この発明は、例えば脳神経外科、眼科、整形外科等の外科手術において術部を拡大観察するのに使用される手術用顕微鏡に関する。
【背景技術】
【０００２】
近年、外科手術においては、術中の術部情報として術部を、手術用顕微鏡のＬＣＤモニター等の画像表示部に写し出して、この画像表示部の画像情報を術者が観察することにより、所望の処置を行う形態がとられている。このような外科手術は、手術の低侵襲化の要求により、体表に設ける切開穴が小径化の傾向にあり、これに応じるために小径の切開穴の底部を照明可能とした手術用顕微鏡の開発が進められている。
【０００３】
このような照明手段としては、観察光軸と照明光軸の同軸度を所定の角度を有して組み合わせ配置し、一対の観察光学系のアパーチャ中心を結ぶ直線に対して、上側あるいは下側あるいは上下に一対の照明光軸を有するように構成したものが提案されている（例えば、特許文献１。）。
【０００４】
また、観察光学系の対物レンズの中心に穴を設けて、一対の観察光学系のアパーチャ中心を結ぶ直線に対して上側あるいは下側に照明光を有するように構成したものも提案されている（例えば、特許文献２参照。）。
【０００５】
さらに、このような照明手段として、観察光軸に対して照明光軸をハーフミラーを配して光学的に同軸的に配し、切開穴の深い底部の照明を行うように構成したものも提案されている（例えば、特許文献３参照。）。
【０００６】
さらに、またこのような照明手段としては、光ファイバ束を用いて観察光軸の極近傍に照明光軸を配置するようにして、切開穴の深い底部の照明を可能に構成したものも提案されている（例えば、特許文献４参照。）。
【特許文献１】特開２００３−３１０６３７号公報
【特許文献２】特許２８９１９２３号公報
【特許文献３】特開平６−２９６６２２号公報
【特許文献１】特開昭６３−１９１１１４号公報
【発明の開示】
【発明が解決しようとする課題】
【０００７】
しかしながら、上記手術用顕微鏡では、特許文献１の照明手段の場合、左右一対の観察光学系の各観察光軸と照明光軸との間に、一定の角度が発生する構成上、その角度に応じて照明光が小径な切開穴の深い底部に届かない虞を有するうえ、発光部からの光を集光して配光する照明光学系を備えなければならないために、構成が複雑となり、大型となるという問題を有する。
【０００８】
そして、上記特許文献２の照明手段では、上記特許文献１の問題点の他、対物光学系のレンズの中心に穴を設けなければならないために、そのレンズ加工処理が面倒であるという問題を有する。
【０００９】
また、上記特許文献３の照明手段では、光学的に観察光学系と照明光学系を重ねる構成上、観察光軸方向が長くなることで、顕微鏡本体が大型となるという問題を有する。
【００１０】
さらに、上記特許文献４の照明手段では、光源装置からの照明光を光ファイバ束を用いて対物光学系まで導かなければならないために、装置が大掛かり、しかも、光ファイバ束の端部を支持具を用いて対物光学系に組付けなければならないために大型となるという問題を有する。
【００１１】
この発明は上記の事情に鑑みてなされたもので、構成簡易にして、小型化の促進を図り得、且つ、切開穴の底部に至る確実な照明を実現して、高精度な観察を実現し得るようにした手術用顕微鏡を提供することを目的とする。
【課題を解決するための手段】
【００１２】
この発明は、対象物体に対向される対物光学系と、前記対物光学系で取り込んだ顕微鏡観察光軸上の光学像が導かれる左右一対の観察光学系と、前記顕微鏡観察光軸に対応して前記対物光学系の対物面側に配され、自発的に発光して照明光を前記対象物体に照射する発光体を有する照明手段とを備えて手術用顕微鏡を構成した。
【００１３】
上記構成によれば、対物光学系の対物面側に配した発光体が発光されると、その光が照明光として直接的に顕微鏡観察光軸に導かれて対象物体を照射することにより、所望の部位に照射される。これにより、簡単な構成を実現したうえで、切開穴の底部への照明が実現されて、切開穴の深い底部の高精度な観察が可能となる。
【発明の効果】
【００１４】
以上述べたように、この発明によれば、構成簡易にして、小型化の促進を図り得、且つ、切開穴の底部に至る確実な照明を実現して、高精度な観察を実現し得るようにした手術用顕微鏡を提供することができる。
【発明を実施するための最良の形態】
【００１５】
以下、この発明の実施の形態について、図面を参照して詳細に説明する。
【００１６】
（第１の実施の形態）
図１は、この発明の第１の実施の形態に係る手術用顕微鏡を示すもので、顕微鏡本体１は、移動調整自在な保持装置２に支持され、この保持装置２を介して、例えば体表に設けられた小口径で深い穴状の術部３上の観察位置に移動可能に設けられる。そして、この顕微鏡本体１に対応して観察画像表示用パネル４が配置される。このパネル４は、例えば特開平５−１０７６６３号公報や特開２００３−２０７７４３号公報に開示される周知の３Ｄ画像表示手段で構成され、移動調整自在なパネル保持装置５を介して術者６と対峙して移動可能に配される。
【００１７】
上記顕微鏡本体１には、図２に示すようにガリレオ型を構成する術部３からの光束を取り込む対物光学系７に対応して左右一対の観察光学系を構成する一対の変倍光学系８、一対の結像光学系９、例えばＣＣＤのような一対の撮像素子１０が内装される。そして、この一対の撮像素子１０には、カメラコントローラ１１がケーブル１２を介して電気的に接続され、このカメラコントローラ１１には、上記パネル４がケーブル１３を介して電気的に接続される。
【００１８】
ここで、一対の変倍光学系８、一対の結像光学系９、一対の撮像素子１０は、対物光学系７の観察光軸Ｏ1（顕微鏡観察光軸）に対して所定の間隔を持って軸対称に配置されて左右一対の観察光軸Ｐ1，Ｐ2を形成する。これにより、一対の変倍光学系８は、対物光学系７側から光束を入射した光束をアフォーカル変倍して、そのアフォーカル光束を一対の結像光学系９に出射する。一対の結像光学系９は、入射したアフォーカル光束を一対の撮像素子１０の撮像面に結像する。一対の撮像素子１０は、撮像面の光学像を光電変換して，その電気信号をカメラコントローラ１１にケーブル１２を介して出力する。カメラコントローラ１１は、入力した電気信号を信号処理して画像信号を生成し、この画像信号を上記パネル４にケーブル１３を介して出力して観察画像を表示する。
【００１９】
また、上記顕微鏡本体１の対物光学系７の対物面１５側には、照明手段１４が設けられる。この照明手段１４は、いわゆる自発的に発光する自発発光体である発光体を構成する発光素子，例えばＬＥＤ１６が、対物光学系７の対物面１５上に配される。このＬＥＤ１６には、図３に示すように例えば接着、蒸着によって配設された銅などの電導材料からなる一対のリードライン１７ａ，１７ｂの各一端部が電気的に接続され、この一対のリードライン１７ａ，１７ｂの他端部には、制御電源回路１８が電気的に接続される。
【００２０】
ここで、一対のリードライン１７ａ，１７ｂは、観察光軸Ｐ1，Ｐ2と観察光軸Ｏ1との間に設けられ、一対の観察光学系Ｐ1，Ｐ2の光路を遮ることがない位置に配設される。そして、上記ＬＥＤ１６は、上記観察光軸Ｏ1上で、一対の観察光軸Ｐ1，Ｐ2との間の中心位置に配置される。また、ＬＥＤ１６は、その発光面が対物光学系７の対物面１５側になるように配置される。
【００２１】
上記構成において、顕微鏡本体１は、術部３の観察像が対物光学系７に入射されると、その光束が一対の観察光軸Ｐ1，Ｐ2に配された変倍光学系８、結像光学系９を光学的に介して撮像素子１０の撮像面に結像される。この撮像素子１０に入射された観察像は、電気信号に変換され，その電気信号がカメラコントローラ１１に入力される。カメラコントローラ１１は、入力した電気信号を信号処理して一対の観察画像を生成し、パネル４に出力して画像表示する。ここで、術者６は、パネル４により術部３の左右一対の観察像が観察される。
【００２２】
この際、ＬＥＤ１６には、制御電源回路１８からの電力がリードライン１７ａ，１７ｂを介して入力されて発光される。このＬＥＤ１６から照射された光は、照明光として観察光軸Ｏ1に導かれることで、術部３の底部に到達され、該底部を照明する。ここで、ＬＥＤ１６は、対物光学系７の対物面１５上に配置されていることで、その発光による照明光が直接的に対物光学系７を通って観察光軸Ｐ1，Ｐ2に入射することがないことにより、十分な光量が確保される。
【００２３】
このように、上記手術用顕微鏡は、対物光学系７の観察光軸Ｏ1で、その対物面１５側に照明手段１４を形成するＬＥＤ１６を配し、このＬＥＤ１６を発光させることにより、その発光した光を、照明光として直接的に観察光軸Ｏ1に導いて術部３を照明するように構成した。
【００２４】
これによれば、簡単な構成を実現したうえで、例えば切開穴等の術部３の底部への照明が実現されて、深い底部煮置いても高精度な観察が可能となる。
【００２５】
具体的には、照明手段１４にレンズやプリズムやライトガイドケーブルなどの光学素子を備えるとなくなく、所望の術部３の照明が可能となるため、顕微鏡本体１の小型化を図ることが可能となる。また、外部に光源装置を必要とすることもなくなるため、システムの簡略化を図ることが可能となる。そして、ＬＥＤ１６からの照明光が観察光軸Ｏ1上を進むので、術部３の体表の切開穴で照明光が遮られることもなく、該切開穴の底部に確実に到達させることができるため、術者６の高精度な観察が可能となる。
【００２６】
なお、上記第１の実施の形態では、一対の撮像素子１０とカメラコントローラ１１とパネル４を用いて構成した場合で説明したが、これに限ることなく、その他、例えば結像光学系９の出射側結像位置に焦点を合わせた図示しない接眼レンズを用いて観察するように構成することも可能である。この場合、術者６は、直接的に接眼レンズを覗き観察することになる。
【００２７】
また、上記第１の実施の形態では、ＬＥＤ１６を対物光学系７の観察光軸Ｏ1の対物面１５上に配設するように構成した場合で説明したが、これに限られることなく、その他、複数個のＬＥＤを観察光軸Ｏ1近傍に集中させて配設するように構成してもよい。この場合には、より高輝度の照明光を得られ、さらに良好な効果が期待される。
【００２８】
さらに、複数のＬＥＤを一対の観察光学系の光路を内包する範囲に配置する構成をとることで、対物レンズ第１面１５上のスペースを有効的に活用することができ大型化を招くことなくより高照度な照明を得ることができる。
【００２９】
また、上記第１の実施の形態では、ＬＥＤ１６を対物面１５上に直接配設したが、これに限ることなく、その他、例えばレンズ以外の外部から図示しない保持部材を介して上記ＬＥＤ１６を取付け配置するように構成することも可能で、同様の効果が期待される。この場合、保持部材は、例えば観察光路Ｏ1に合わせて穴をあけた板状部材でもよいし、一対の観察光学系の夫々の中心を結ぶ直接に対して垂直方向に対物光学系側部の顕微鏡鏡体から延出された棒状部材でもよく、一対の観察光学系の観察光路を遮らないような形状で有れば有効である。
【００３０】
さらに、上記照明手段１４は、図４に示すように対物光学系７の観察光軸Ｏ1上に配したＬＥＤ１６を中心とし、上記一対の観察光軸Ｐ1，Ｐ2を含む円上に複数のＬＥＤ１９を所定の間隔に配するように構成しても良い。
【００３１】
即ち、複数のＬＥＤ１９は、例えば一対の変倍光学系８を取り囲むように対物光学系７の対物面１５上に円周状に２４等分のピッチで配設される。この２４個のＬＥＤ１９は、図示しない夫々独立した制御電源と電気的に接続される。
【００３２】
この構成によれば、術者６の必要に応じて観察光軸Ｏ1上に配置されるＬＥＤ１６以外の複数のＬＥＤ１９を必要な箇所のみ選択的に発光させることができることで、使い勝手の向上が図れ、さらに良好な効果が期待される。例えば、深い穴形状を有する術部３に対しては、観察光軸Ｏ1上のＬＥＤ１６を用いて術部３の底部まで照明光の到達が実現され、浅い術部３に対しては複数のＬＥＤ１９を発光させることにより、高照度な照明野を術限することが可能となる。
【００３３】
また、図４の説明では、複数のＬＥＤ１９を等間隔に配置するように構成した場合で説明したが、これに限るものでなく、その他、不等間隔で配置するように構成することも可能である。
【００３４】
（第２の実施の形態）
この発明の第２の実施の形態に係る手術用顕微鏡について、図５乃至図７を参照して説明する。但し、図５乃至図７においては、上記図１乃至図４と同一部分について同一符号を付して、その詳細な説明を省略する。
【００３５】
即ち、上記対物光学系７の対物面１５の観察光軸Ｏ1上には、プリズム２０が配される。このプリズム２０には、観察光軸Ｏ1に対して例えが４５゜の角度を有する面２１が設けられ、この面２１の表面には、反射部材としてのアルミコーティング２２と、蛍光発光体２３が順に積層されて設けられる（図５参照）。このプリズム２０の面２１に配設されたアルミコーティング２２は、照射角度変更手段を形成する。そして、蛍光発光体２３は、所定波長の光線を受けると所定の波長の光を発光する。この蛍光発光体２３は、例えば周知の白色ＬＥＤを用いた好ましくは白色の発光を行うように構成される。
【００３６】
上記顕微鏡本体１には、突起部２６が対物光学系７に対応して設けられ、この突起部２６には、自発的に発光する発光体としての半導体レーザーダイオード（ＬＤ）２４が設けられる。このＬＤ２４は、図示しない電源回路と電気的に接続され、その光線光軸が観察光軸Ｏ1に対して角度９０゜の角度で、レーザ光を上記アルミコーティング２２の表面と観察光軸Ｏ1の交点に照射されるべく配置される。
【００３７】
上記構成において、ＬＤ２４は、上記電源回路（図示せず）を介して電力が供給されるとレーザ光を発光する。すると、このＬＤ２４で発光されたレーザ光は、プリズム２０上の蛍光発光体２３に進入されて、蛍光発光体２３によって白色に発光されると共に、該蛍光発光体２３内に進入した一部がアルミコーティング２２で反射されて観察光軸Ｏ1方向に光の進行方向を変える。そして、この反射光は、再び蛍光発光体２３を通過する際にも、該蛍光発光体２３を白色に発光させる。
【００３８】
この蛍光発光体２３の発光効率は、ＬＤ２４のパワーより低い場合、蛍光発光体２３により発光作用がされた後にも、ＬＤ２４のレーザ光が観察光軸Ｏ1上を物体に向かって進行することで、観察光軸Ｏ1上の術部３をレーザ光で極めて小さなスポット照明することになる。この際、このＬＤ２４のレーザ光は、観察光軸Ｐ1を通過するが、通過空間に散乱物質はないので観察光軸Ｐ1の観察光学系に対してフレアなどの悪影響を及ぼすことがない。
【００３９】
上記第２の実施の形態によれば、ＬＤ２４を配設した突起部２６は、顕微鏡本体１の一部に設けるだけで、小型化が確保され、しかも、ＬＤ２４の輝度を調整することで術部中心にレーザ光を作り出すことが容易に可能となり、術者６が術部３の中心を確実に把握することができるため、さらに使い勝手の向上が図れる。
【００４０】
また、第２の実施の形態によれば、電源供給を受ける構成部品を光学部品上に構成する必要がなくより、簡単な構成を実現することが可能となる。
【００４１】
なお、上記第２の実施の形態では、ＬＤ２４を観察光軸Ｐ1，Ｐ2を結ぶ直線上に配置するように構成した場合で説明したが、これに限ることなく、その他、例えば上記ＬＤ２４を観察光軸Ｏ1を中心に角度９０゜回転させた位置に配置するように構成しても良い。この場合、ＬＤ２４によるレーザ光は、観察光学系を構成する左右一対の変倍光学系８を遮らない構成となり、レーザ光上の空気中に存在するホコリや塵による散乱光が観察光学系に入射しなくなるため、観察光学系に前記散乱光によるフレア等が発生しないという効果を奏する。
【００４２】
また、この第２の実施の形態においては、図８に示すように自発的に発光する発光体としてのレーザーダイオード（ＬＤ）２７を顕微鏡本体１内の上記対物光学系７の出射側における観察光軸Ｏ1上に、該観察光軸Ｏ1方向に向けて配するように構成して良い。この場合、対物光学系７の対物面１５上には、照明角度可変手段としての円錐部材２８が設けられる。この円錐部材２８は、例えば透明なガラス素材で、その形状が、円錐の頂点側を底面と平行に削った、いわゆる側面からの投影形状が台形状に形成される。
【００４３】
この円錐部材２８の上面部２９は、上記ＬＤ２７から出射されるレーザ光のスポット径と略同じか、それよりも大きい直径となるように形成され、上記対物光学系７の対物面１５に対して接着接合される。そして、この円錐部材２８の側面部は、黒色の塗料が塗布され、内部から外部に光が透過できないように形成される。また、円錐部材２８の底面部には、例えば周知の白色ＬＥＤで構成される蛍光発光体３０が設けられる。
【００４４】
上記構成により、ＬＤ２７により出射されたレーザ光は、対物光学系７を構成する例えば図９に示すような複数のレンズの中心軸上を通過する。ここで、レーザ光が通過する局部的なレンズの表面形状は、Ｒ形状の山部あるいは谷部の頂点で、観察光軸Ｏ1に対して垂直の面となる。この結果、レンズ表面で発生するＬＤ２７のレーザ光の反射光は、観察光軸Ｏ1上を、再びＬＤ２７方向に進行される。
【００４５】
また、対物光学系７を通過して対物面１５まで進行したＬＤ２７のレーザ光は、円錐部材２８の上面部２９から円錐部材２８内部に進行され、該円錐部材２８の底面部の蛍光発光体３０に到達される。すると、蛍光発光体３０は、レーザ光の入射により発光されて観察光軸Ｏ1上の術部３を照明する。
【００４６】
この際、蛍光発光体３０の発光による照明光は、物体側と伴にＬＤ２７側にも照射されることになるが、ＬＤ２７側に照射された光線が円錐部材２８の側面部に配設された黒色塗料によって直接的に観察光軸Ｐ1，Ｐ2に入射されることが防止される。
【００４７】
上記構成によれば、ＬＤ２７が顕微鏡本体１内に収容配置され、該顕微鏡本体１の外周壁に突起部２６を設けることがなくなることにより、小型化の促進を図ることが可能となる。
【００４８】
（第３の実施の形態）
この発明の第３の実施の形態に係る手術用顕微鏡について、図１０を参照して詳細に説明する。但し、図１０においては、上記図１と同一部分について同一符号を付して、その詳細な説明を省略する。
【００４９】
第３の実施の形態においては、左右一対の対物光学系３１ａ、３１ｂを有するグリノー型顕微鏡に適用される。即ち、対物光学系３１ａ、３１ｂは、観察光軸Ｏ1に対して所定の傾きを持った観察光軸Ｐ1、Ｐ2上に筒状部材３９ａ，３９ｂを介して配置される。この筒状部材３９ａ，３９ｂは、顕微鏡本体１に内装され、上記対物光学系３１ａ，３１ｂに対応して変倍光学系３２ａ，３２ｂ、結像光学系３３ａ，３３ｂ、撮像素子３４ａ，３４ｂが内装され、一対の対物光学系３１ａ，３１ｂで、夫々焦点位置である術部３の観察像を取り込んで各変倍光学系３２ａ，３２ｂに出射する。この一対の変倍光学系３２ａ，３２ｂは、入射した光束をアフォーカル変倍して、そのアフォーカル光束を、各結像光学系３３ａ，３３ｂを通して撮像素子３４ａ，３４ｂの撮像面に結像する。この撮像素子３４ａ，３４ｂは、入射したアフォーカル光束を電気信号に変換して、上記カメラコントローラ１１に出力する。
【００５０】
また、顕微鏡本体１には、その観察光軸Ｏ1上で、一対の対物光学系３１ａ、３１ｂの対物面側近傍に自発的に発光する発光体である例えば白色ＬＥＤ３５が設けられ、この白色ＬＥＤ３５は、図示しない電源回路に電気的に接続される。
【００５１】
上記構成において、白色ＬＥＤ３５は、上記電源回路（図示せず）を介して電力が供給されると、発光され、その光が照明光として、観察光軸Ｏ1上に直接的に導かれて、術部３の底部に至る領域に照射される。この際、白色ＬＥＤ３５は、一対の対物光学系３１ａ、３１ｂの側面部に配置されていることで、その発光による照明光が該一対の対物光学系３１ａ，３１ｂに入射することが防止される。
【００５２】
この第３の実施の形態によれば、上記第１の実施の形態のように対物面１５にＬＥＤ１６やリードライン１７ａ，１７ｂを配設することがないことにより、さらに構成の簡略化を図ることが可能となる。
【００５３】
なお、上記説明では、白色ＬＥＤ３５を１個用いて構成した場合で説明したが、これに限ることなく、観察光軸Ｏ1上に複数個の白色ＬＥＤ等のＬＥＤを配設するように構成することも可能である。このように複数個のＬＥＤを配する場合には、例えば図１１に示す一対の対物光学系３１ａ，３１ｂ間のハッチングで示す領域Ｑに配置することとで、高照度の照野を実現することが可能となる。
【００５４】
（第４の実施の形態）
この発明の第４の実施の形態に係る手術用顕微鏡について、図１２を参照して詳細に説明する。但し、図１２においては、上記第３の実施の形態と同一部分について同一符号を付して、その詳細な説明を省略する。
【００５５】
この第４の実施の形態においては、上記白色ＬＥＤ３５に代えて、例えば特開２００１−２１４１６２号公報等に開示される周知の蛍光発光体３６を、観察光軸Ｏ1上であって、対物光学系３１ａ、３１ｂの対物面３７ａ，３７ｂに対して顕微鏡本体１の内部側に所定の距離Ｘを有して設けられる。
【００５６】
また、上記観察光軸Ｐ1，Ｐ2間には、例えばＩｎＧａＮ系青色ＬＥＤチップによる複数のレーザーダイオード（ＬＤ）３８が上記蛍光発光体３６に照射方向を合わせて所定の間隔に設けられ、このＬＤ３８は、図示しない電源回路に電気的に接続される。
【００５７】
上記構成において、複数のＬＤ３８は、上記電源回路（図示せず）を介して電力が供給されると、レーザ光を発光して蛍光発光体３６に照射する。すると、蛍光発光体３６は、白色を発光し、その光を照明光として上記術部３の底部に至る領域に照射する。この際、蛍光発光体３６は、物体光学系３１ａ，３１ｂの対物面３７ａ，３７ｂに対して距離Ｘだけ顕微鏡本体１内に配されていることで、筒状部材３９ａ、３９ｂによって、蛍光発光体３６の発光による照明光が直接的に光軸Ｐ1，Ｐ2で構成される左右一対の観察光学系を構成する一対の変倍光学系３２ａ，３２ｂに入射することがない。
【００５８】
この第４の実施の形態によれば、上述した第３の実施の形態に比して多くのＬＤ３８を配していることにより、より高照度の照明が可能となり、さらに有効な効果が期待される。また、グリノー型顕微鏡の一対の観察光軸Ｐ1，Ｐ2間の距離は、対物光学系３１ａ，３１ｂ近傍よりも撮像素子３４ａ，３４ｂ側の方が広く、その撮像素子３４ａ，３４ｂ側の広い空間に複数のＬＤ３８を配置して、デッドスペースを効率的に利用していることにより、照明の高照度化を図ったうえで、小型化を確保することができる。
【００５９】
よって、この発明は、上記実施の形態に限ることなく、その他、実施段階では、その要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００６０】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００６１】
また、この発明は、上記各実施の形態によれば、その他、次のような構成を得ることもできる。
【００６２】
（付記１）
物体に対しての顕微鏡本体の観察光軸と、少なくても１つの対物光学系と、左右一対の観察光学系と、術部を照明する照明手段を有する手術用顕微鏡において、
前記照明手段は、自発的に発光する自発光体と、
前記自発光体からの照射を受けて所定波長の光を術部に向けて発光する蛍光体と、
を具備することを特徴とする手術用顕微鏡。
【００６３】
（付記２）
前記蛍光体は、前記顕微鏡本体の観察光軸を中心に形成される光路上であると共に、前記対物光学系より対物側に配置したことを特徴とする付記１の手術用顕微鏡。
【００６４】
（付記３）
前記蛍光体は、前記顕微鏡本体の観察光軸を中心に前記一対の観察光学系の観察光路に外接する円内に配置されることを特徴とする付記１又は２の手術用顕微鏡。
【００６５】
（付記４）
前記蛍光体は、前記一対の観察光学系の観察光路の間に配設されることを特徴とする付記１乃至３のいずれか記載の手術用顕微鏡。
【００６６】
（付記５）
前記蛍光体は、前記顕微鏡本体の観察光軸上に配置されたことを特徴とする付記２記載の手術用顕微鏡。
【００６７】
（付記６）
前記蛍光体は、前記顕微鏡本体の観察光軸に対して軸対称に配置されたことを特徴とする付記２記載の手術用顕微鏡。
【００６８】
（付記７）
前記自発光体は、前記対物光学系の対物面側であると共に、前記顕微鏡本体の観察光路の外側に配置されることを特徴とする付記１乃至５のいずれか記載の手術用顕微鏡。
【００６９】
（付記８）
前記自発光体は、前記対物光学系の対物面側と逆面側に配置されることを特徴とする請求項１乃至５のいずれか記載の手術用顕微鏡。
【００７０】
（付記９）
前記自発光体は、前記顕微鏡本体の観察光軸上に配置されることを特徴とする付記８記載の手術用顕微鏡。
【００７１】
（付記１０）
前記自発光体は、半導体発光素子であることを特徴とする付記１乃至９のいずれか記載の手術用顕微鏡。
【００７２】
（付記１１）
前記半導体発光素子は、半導体レーザー（ＬＤ）であることを特徴とする付記１０記載の手術用顕微鏡。
【００７３】
（付記１２）
前記対物光学系を、光軸が前記左右一対の観察光学系の観察光軸の交点を通る１個で形成し、前記対物光学系の光軸が顕微鏡観察光軸であるガリレオ型であることを特徴とする付記１乃至１１のいずれか記載の手術用顕微鏡。
【００７４】
（付記１３）
前記対物光学系を、前記左右一対の観察光学系に対向して左右一対配し、顕微鏡観察光軸を前記左右一対の対物光学系の交点を通り、該左右一対の対物光学系の光軸角度を２等分するグリノー型であることを特徴とする付記１乃至１１のいずれか記載の手術用顕微鏡。
【００７５】
（付記１４）
前記自発光体は、複数個配設されることを特徴とする付記１、２、３、４、５、６、８、１０、１１、１３のいずれか記載の手術用顕微鏡。
【００７６】
（付記１５）
前記蛍光体を、前記対物光学系に照射角度変更手段を介して配し、前記自発光体からの光が入射されると、前記照射角度変更手段を介して照射方向を変更して光を顕微鏡観察光軸に照射するように構成したことを特徴とする付記１乃至７のいずれか記載の手術用顕微鏡。
【図面の簡単な説明】
【００７７】
【図１】この発明の第１の実施の形態に係る手術用顕微鏡の概略構成を説明するために示した斜視図である。
【図２】図１の顕微鏡本体の構成を説明するために示した要部を断面して示した図である。
【図３】図１の顕微鏡本体を前面側から見た状態を示した図である。
【図４】図１の顕微鏡本体の対物光学系に配する発光体の配置変形例を示した図である。
【図５】この発明の第２の実施の形態に係る手術用顕微鏡の要部を断面して示した図である。
【図６】図５の要部の配置構成を示した図である。
【図７】図５の顕微鏡本体を観察光軸方向に断面して示して図である。
【図８】この発明の第２の実施の形態に係る手術用顕微鏡の変形例を説明するために一部を断面して示した図である。
【図９】図８の顕微鏡本体を観察光軸方向に断面して示した図である。
【図１０】この発明の第３の実施の形態に係る手術用顕微鏡の変形例を説明するために一部を断面して示した図である。
【図１１】図１０のＬＥＤの配置変形例を説明するために示した図である。
【図１２】この発明の第４の実施の形態に係る手術用顕微鏡の変形例を説明するために一部を断面して示した図である。
【符号の説明】
【００７８】
１…顕微鏡本体、２…保持装置、３…術部、４…パネル、５…パネル保持装置、６…術者、７…対物光学系、８…変倍光学系、９…結像光学系、１０…撮像素子、１１…カメラコントローラ、１２，１３…ケーブル、１４…照明手段、１５…対物面、１６…ＬＥＤ、１７ａ，１７ｂ…リードライン、１８…制御電源回路、１９…ＬＥＤ、２０…プリズム、２１…面、２２…アルミコーティング、２３…蛍光発光体、２４…ＬＤ、２６…突起部、２７…ＬＤ、２８…円錐部材、２９…上面部、３０…蛍光発光体、３１ａ，３１ｂ…対物光学系、３２ａ，３２ｂ…変倍光学系、３３ａ，３３ｂ…結像光学系、３４ａ，３４ｂ…撮像素子、３５…白色ＬＥＤ、３９ａ，３９ｂ…筒状部材。
【図１】
2006218206.tif 000003
【図２】
2006218206.tif 000004
【図３】
2006218206.tif 000005
【図４】
2006218206.tif 000006
【図５】
2006218206.tif 000007
【図６】
2006218206.tif 000008
【図７】
2006218206.tif 000009
【図８】
2006218206.tif 000010
【図９】
2006218206.tif 000011
【図１０】
2006218206.tif 000012
【図１１】
2006218206.tif 000013
【図１２】
2006218206.tif 000014